(57)【要約】【課題】布団掃除の効率化を図ることができる布団用電気掃除機を提供すること。【解決手段】布団用電気掃除機１では、本体２が、重ねて敷かれた状態にある敷布団Ｓと掛布団Ｋとの間で移動する。本体２の移動中において、本体２内部の電動送風機４４が作動すると、電動送風機４４が発生した吸引力によって、本体２において敷布団Ｓに対向する底面１７に形成された吸込口８から、敷布団Ｓの塵埃が本体２内に吸引され、本体２において掛布団Ｋに対向する天面４に形成された吸込口８から、掛布団Ｋの塵埃が本体２内に吸引される。つまり、この布団用電気掃除機１を用いることで、敷布団Ｓと掛布団Ｋとを、重ねて敷かれた状態で、一度に掃除することができる。これにより、布団掃除の効率化を図ることができる。【選択図】図５
2010125281.tif 000002
【特許請求の範囲】
【請求項１】
敷布団に対し、幅方向に対向し得る第１面と、掛布団に対し、幅方向に対向し得る第２面とを有する本体と、
前記第１面および前記第２面のそれぞれに形成された所定の長さを有する第１吸込口および第２吸込口と、
前記本体に設けられ、吸引力を発生する電動送風機と、
前記第１吸込口および前記第２吸込口と前記電動送風機とをつなぐ風路と、
前記本体を、予め定める方向へ予め定める速度で移動させるための移動手段と、
を有することを特徴とする、布団用電気掃除機。
【請求項２】
前記第１吸込口は、その長さ方向に複数の小吸込口に区画されており、
前記第２吸込口は、その長さ方向に複数の小吸込口に区画されており、
前記風路は、前記第１吸込口および前記第２吸込口の任意の小吸込口のみから吸込が行われるように、前記風路を切換えることのできる切換手段を含むことを特徴とする、請求項１記載の布団用電気掃除機。
【請求項３】
前記第１面は、幅方向に長手をしたほぼ平面からなり、前記本体の底面を形成しており、
前記第２面は、幅方向に長手をし、前記本体の上面を形成しており、幅方向と直交方向に、上面中央部が最も高くなるように前後方向に４５°以下の傾斜角度を有する２平面を含むことを特徴とする、請求項１または２記載の布団用電気掃除機。
【請求項４】
前記第１面の前記第１吸込口から外方へ毛先がはみ出るように、前記本体は、回転自在に配置される回転ブラシを有することを特徴とする、請求項１〜３のいずれかに記載の布団用電気掃除機。
【請求項５】
前記第２面において、前記第２吸込口と平行に設けられ、掛布団が前記第２面に対向したときに、その掛布団を、前記第２吸込口に対して直交方向に移動させるための回転体を有することを特徴とする、請求項１〜４のいずれかに記載の布団用電気掃除機。
【請求項６】
前記移動手段は、
前記本体の幅方向両側に、前記本体の幅方向と直交方向に延びる一対のレールと、
前記本体側または前記レール側のいずれかに設けられ、前記レールに対して前記本体を移動させる駆動手段と、
を含むことを特徴とする、請求項１〜５のいずれかに記載の布団用電気掃除機。
【請求項７】
一対の前記レールは、それらの間に梁部材が架設されることで一体化されており、
一対の前記レールは、その長さ方向における少なくとも１箇所において折り畳み可能であることを特徴とする、請求項６記載の布団用電気掃除機。
【請求項８】
折り畳まれた状態にある一対の前記レールと前記本体とを支持するスタンドを有することを特徴とする、請求項７記載の布団用電気掃除機。
【請求項９】
前記本体に設けられ、敷布団と掛布団との間での前記本体の移動方向に対する直交方向において敷布団を挟み、敷布団と掛布団との間における、敷布団に沿った前記本体の移動をガイドするための一対のガイド部を有することを特徴とする、請求項１〜５のいずれかに記載の布団用電気掃除機。
【請求項１０】
前記ガイド部は、回転自在なころであることを特徴とする、請求項９記載の布団用電気掃除機。
【請求項１１】
前記本体の幅方向端部に、前記電動送風機が配置されていることを特徴とする、請求項１〜１０のいずれかに記載の布団用電気掃除機。
【請求項１２】
前記移動手段は、前記第１面に設けられ、前記第１面が敷布団に対向したときに、前記本体をその幅方向と直交方向に敷布団に対して移動させるために回転駆動されるローラまたはベルトを含むことを特徴とする、請求項１〜５のいずれかに記載の布団用電気掃除機。
【請求項１３】
前記本体に形成され、外部の空気を前記本体内に取り込むための取込口と、
前記本体内に設けられ、前記取込口と前記第１吸込口および前記第２吸込口とを連通させ、前記電動送風機によって前記取込口から取り込まれてから前記電動送風機を通過した空気を前記第１吸込口および前記第２吸込口へ導く乾燥用流路と、
を有することを特徴とする、請求項１〜１２のいずれかに記載の布団用電気掃除機。
【請求項１４】
前記本体に形成され、外部の空気を前記本体内に取り込むための取込口と、
前記本体に形成され、前記本体内の空気を取り出すための取出口と、
前記本体内に設けられ、前記取込口と前記取出口とを連通させ、前記電動送風機によって前記取込口から取り込まれてから前記電動送風機を通過した空気を前記取出口へ導く清浄化用流路と、
前記清浄化用流路を流れる空気を清浄化して前記取出口へと流す空気清浄化手段と、
を有することを特徴とする、請求項１〜１３のいずれかに記載の布団用電気掃除機。
【発明の詳細な説明】
【技術分野】
【０００１】
この発明は、布団用電気掃除機に関する。
【背景技術】
【０００２】
一般的な床掃除用の電気掃除機に装着され、布団を掃除するために用いられる吸込具が知られている（下記特許文献１〜３参照）。
【０００３】
特許文献１に記載の吸込具は、電気掃除機に接続される接続管と、接続管に固定された筒体と、筒体外周に遊嵌される網状の回転部材とを含んでいる。この吸込具を布団に沿って動かすと、吸込具では、回転部材が布団に接触することで回転する。そのため、吸込具は、布団に引っ掛かることなく、電気掃除機の吸引力によって布団の塵埃を吸い込むことができる。
【０００４】
特許文献２に記載の吸込具は、長管形状の吸い込みノズル本体を含んでいる。吸い込みノズル本体には、その長手方向に沿って細長い溝状の吸い込み口が形成されている。吸い込み口が布団表面に沿うように吸い込みノズル本体を移動させると、布団のような面積の広い被掃除物を掃除することができる。
【０００５】
特許文献３に記載の吸込具は、電気掃除機に接続される回転パイプと、互いに対向した状態で回転パイプに取り付けられたシート状の上吸込部および下吸込部とを含んでいる。上吸込部および下吸込部は、ともに、一般的な布団よりも若干大きい面積を有している。上吸込部および下吸込部のそれぞれの対向面には、多数の吸込穴が形成されている。上吸込部と下吸込部との間に布団を挟んで電気掃除機を起動すると、布団の塵埃は、上吸込部および下吸込部のそれぞれの吸込穴に吸引され、回転パイプ内を通過した後に、電気掃除機に吸い込まれる。
【特許文献１】特開平８−３３２１６４号公報
【特許文献２】特開平４−８４９２３号公報
【特許文献３】特開２００７−７３５９号公報
【発明の開示】
【発明が解決しようとする課題】
【０００６】
一般的に、１組の布団（組布団）には、敷布団および掛布団が含まれている。そのため、組布団を掃除する場合には、敷布団および掛布団の両方を掃除する必要がある。
【０００７】
ここで、特許文献１〜３に記載の吸込具を用いて組布団を掃除する場合には、まず、吸込具を電気掃除機に装着し、その後、敷布団および掛布団のうちいずれか一方を掃除してから残りの布団を掃除するといった作業が行われる。つまり、特許文献１〜３に記載の吸込具では、敷布団および掛布団の両方を一度に掃除することができない。さらに、特許文献１〜３に記載の吸込具を用いる場合には、これらの吸込具を適正に使えるように布団を動かす必要があり、布団を敷いたままの状態で掃除することができない。そのため、布団掃除の効率化を図ることが困難である。
【０００８】
この発明は、かかる背景のもとになされたもので、布団掃除の効率化を図ることができる布団用電気掃除機を提供することを主たる目的とする。
【０００９】
また、この発明は、付加機能を備えた布団用電気掃除機を提供することを別の目的とする。
【課題を解決するための手段】
【００１０】
請求項１記載の発明は、敷布団に対し、幅方向に対向し得る第１面と、掛布団に対し、幅方向に対向し得る第２面とを有する本体と、前記第１面および前記第２面のそれぞれに形成された所定の長さを有する第１吸込口および第２吸込口と、前記本体に設けられ、吸引力を発生する電動送風機と、前記第１吸込口および前記第２吸込口と前記電動送風機とをつなぐ風路と、前記本体を、予め定める方向へ予め定める速度で移動させるための移動手段と、を有することを特徴とする、布団用電気掃除機である。
【００１１】
請求項２記載の発明は、前記第１吸込口は、その長さ方向に複数の小吸込口に区画されており、前記第２吸込口は、その長さ方向に複数の小吸込口に区画されており、前記風路は、前記第１吸込口および前記第２吸込口の任意の小吸込口のみから吸込が行われるように、前記風路を切換えることのできる切換手段を含むことを特徴とする、請求項１記載の布団用電気掃除機である。
【００１２】
請求項３記載の発明は、前記第１面は、幅方向に長手をしたほぼ平面からなり、前記本体の底面を形成しており、前記第２面は、幅方向に長手をし、前記本体の上面を形成しており、幅方向と直交方向に、上面中央部が最も高くなるように前後方向に４５°以下の傾斜角度を有する２平面を含むことを特徴とする、請求項１または２記載の布団用電気掃除機である。
【００１３】
請求項４記載の発明は、前記第１面の前記第１吸込口から外方へ毛先がはみ出るように、前記本体は、回転自在に配置される回転ブラシを有することを特徴とする、請求項１〜３のいずれかに記載の布団用電気掃除機である。
【００１４】
請求項５記載の発明は、前記第２面において、前記第２吸込口と平行に設けられ、掛布団が前記第２面に対向したときに、その掛布団を、前記第２吸込口に対して直交方向に移動させるための回転体を有することを特徴とする、請求項１〜４のいずれかに記載の布団用電気掃除機である。
【００１５】
請求項６記載の発明は、前記移動手段は、前記本体の幅方向両側に、前記本体の幅方向と直交方向に延びる一対のレールと、前記本体側または前記レール側のいずれかに設けられ、前記レールに対して前記本体を移動させる駆動手段と、を含むことを特徴とする、請求項１〜５のいずれかに記載の布団用電気掃除機である。
【００１６】
請求項７記載の発明は、一対の前記レールは、それらの間に梁部材が架設されることで一体化されており、一対の前記レールは、その長さ方向における少なくとも１箇所において折り畳み可能であることを特徴とする、請求項６記載の布団用電気掃除機である。
【００１７】
請求項８記載の発明は、折り畳まれた状態にある一対の前記レールと前記本体とを支持するスタンドを有することを特徴とする、請求項７記載の布団用電気掃除機である。
【００１８】
請求項９記載の発明は、前記本体に設けられ、敷布団と掛布団との間での前記本体の移動方向に対する直交方向において敷布団を挟み、敷布団と掛布団との間における、敷布団に沿った前記本体の移動をガイドするための一対のガイド部を有することを特徴とする、請求項１〜５のいずれかに記載の布団用電気掃除機である。
【００１９】
請求項１０記載の発明は、前記ガイド部は、回転自在なころであることを特徴とする、請求項９記載の布団用電気掃除機である。
【００２０】
請求項１１記載の発明は、前記本体の幅方向端部に、前記電動送風機が配置されていることを特徴とする、請求項１〜１０のいずれかに記載の布団用電気掃除機である。
【００２１】
請求項１２記載の発明は、前記移動手段は、前記第１面に設けられ、前記第１面が敷布団に対向したときに、前記本体をその幅方向と直交方向に敷布団に対して移動させるために回転駆動されるローラまたはベルトを含むことを特徴とする、請求項１〜５のいずれかに記載の布団用電気掃除機である。
【００２２】
請求項１３記載の発明は、前記本体に形成され、外部の空気を前記本体内に取り込むための取込口と、前記本体内に設けられ、前記取込口と前記第１吸込口および前記第２吸込口とを連通させ、前記電動送風機によって前記取込口から取り込まれてから前記電動送風機を通過した空気を前記第１吸込口および前記第２吸込口へ導く乾燥用流路と、を有することを特徴とする、請求項１〜１２のいずれかに記載の布団用電気掃除機である。
【００２３】
請求項１４記載の発明は、前記本体に形成され、外部の空気を前記本体内に取り込むための取込口と、前記本体に形成され、前記本体内の空気を取り出すための取出口と、前記本体内に設けられ、前記取込口と前記取出口とを連通させ、前記電動送風機によって前記取込口から取り込まれてから前記電動送風機を通過した空気を前記取出口へ導く清浄化用流路と、前記清浄化用流路を流れる空気を清浄化して前記取出口へと流す空気清浄化手段と、を有することを特徴とする、請求項１〜１３のいずれかに記載の布団用電気掃除機である。
【発明の効果】
【００２４】
請求項１記載の発明によれば、この布団用電気掃除機では、本体が、第１面において敷布団に対して幅方向に対向し、第２面において掛布団に対して幅方向に対向した状態（つまり敷布団と掛布団との間にある状態）で移動する。本体の移動中において、本体の電動送風機が作動すると、電動送風機が発生した吸引力によって、第１面に形成された第１吸込口から、敷布団の塵埃が本体内の風路に吸引され、第２面に形成された第２吸込口から、掛布団の塵埃が本体内の風路に吸引される。つまり、この布団用電気掃除機を用いることで、敷布団と掛布団とを、重ねて敷かれた状態で、一度に掃除することができる。これにより、布団掃除の効率化を図ることができる。
【００２５】
請求項２記載の発明によれば、第１吸込口および第２吸込口のそれぞれにおいて、全ての小吸込口から風路に布団の塵埃を吸引できる場合には、各小吸込口での空気の流れ（塵埃の吸引力）は比較的弱い。そこで、切換手段が、第１吸込口および第２吸込口の任意の小吸込口のみから吸込が行われるように、風路を切換えるので、各小吸込口での空気の流れを強くすることができる。これにより、各小吸込口では、布団の塵埃を効率的に吸引することができる。
【００２６】
請求項３記載の発明によれば、第１面は、本体の底面をなすほぼ平面であり、第２面は、本体の上面をなし、その上面中央部が最も高くなるように前後方向に４５°以下の傾斜角度を有する２平面を含んでいる。これにより、本体を移動方向に沿うように扁平に形成することができるので、本体は、布団に引っ掛かって止まることなく、敷布団と掛布団との間で円滑に移動することができる。
【００２７】
請求項４記載の発明によれば、回転ブラシが、第１面の第１吸込口から外方へ毛先がはみ出るように、本体において回転自在に配置されている。回転ブラシが回転することで、回転ブラシにおいて第１面の第１吸込口から外方へはみ出た毛先が、第１吸込口より下方に位置する敷布団の塵埃（特に敷布団において凹んだ部分に溜まった塵埃）を第１吸込口へ向けて掻き上げるので、第１吸込口では、敷布団の塵埃を効率的に本体内に吸引することができる。
【００２８】
請求項５記載の発明によれば、本体の第２面において、第２吸込口と平行に設けられた回転体が、掛布団が第２面に対向したときに、その掛布団を、第２吸込口に対して直交方向に移動させる。これにより、本体は、回転体に補助されることで、掛布団に対して相対移動するので、結果として、敷布団と掛布団との間において、円滑に移動することができる。
【００２９】
請求項６記載の発明によれば、布団用電気掃除機において、本体を移動させる移動手段は、本体の幅方向両側において本体の幅方向と直交方向に延びる一対のレールと、本体側またはレール側のいずれかに設けられ、レールに対して本体を移動させる駆動手段とを含んでいる。この構成では、本体がレールに対して必ず相対移動するので、本体は、敷布団と掛布団との間で、止まることなく確実に移動することができる。
【００３０】
請求項７記載の発明によれば、一対のレールは、それらの間に梁部材が架設されることで一体化されていることから、一対のレールの間隔が一定に保たれ、かつ、一対のレールの剛性が確保されている。
【００３１】
そして、一対のレールは、その長さ方向における少なくとも１箇所において折り畳み可能であることから、本体をレールで移動させない場合（換言すれば布団掃除を行わない場合）には、一対のレールを、折り畳むことでコンパクトに収納することができる。
【００３２】
請求項８記載の発明によれば、スタンドが、折り畳まれた状態にある一対のレールと本体とを支持するので、布団用電気掃除機を使用しない場合には、一対のレールと本体とをコンパクトに収納することができる。
【００３３】
請求項９記載の発明によれば、本体に設けられた一対のガイド部は、本体の移動方向に対する直交方向において敷布団を挟み、敷布団と掛布団との間における、敷布団に沿った本体の移動をガイドするので、本体は、敷布団と掛布団との間において、この間からはみ出ることなく、円滑に移動することができる。
【００３４】
請求項１０記載の発明によれば、ガイド部は、回転自在なころであるから、ガイド部が敷布団に接触するときに引っ掛かることがないので、本体は、敷布団と掛布団との間において、円滑に移動することができる。
【００３５】
請求項１１記載の発明によれば、本体の幅方向端部は、敷布団と掛布団との間から布団の外側へ露出される部分であり、この部分に電動送風機が配置されていることで、電動送風機が布団の外側に近くなる。これにより、電動送風機を通過して加熱された空気を本体内から布団の外へ速やかに排出することができるので、加熱された空気が本体内に留まることがなく、電動送風機の過熱を防止することができる。
【００３６】
請求項１２記載の発明によれば、布団用電気掃除機において、本体を移動させる移動手段は、本体の第１面に設けられ、第１面が敷布団に対向したときに、本体をその幅方向と直交方向に敷布団に対して移動させるために回転駆動されるローラまたはベルトを含んでいる。この構成によれば、本体は、単独で、敷布団と掛布団との間で移動することができる。
【００３７】
請求項１３記載の発明によれば、本体には、取込口が形成され、本体内には、取込口と第１吸込口および第２吸込口（布団に対向する部分）とを連通させる乾燥用流路が設けられている。乾燥用流路は、電動送風機によって取込口から取り込まれてから電動送風機を通過した空気を第１吸込口および第２吸込口へ導く。これにより、この布団用電気掃除機では、電動送風機を通過することで加熱された空気が、第１吸込口および第２吸込口から布団に浴びせられるので、布団を乾燥することができる。この結果、布団用電気掃除機に付加機能を備えることができる。
【００３８】
請求項１４記載の発明によれば、本体には、取込口と取出口とが形成され、本体内には、取込口と取出口とを連通させる清浄化用流路が設けられている。清浄化用流路は、電動送風機によって取込口から取り込まれてから電動送風機を通過した空気を取出口へ導く。ここで、空気清浄化手段が、清浄化用流路を流れる空気を清浄化して取出口へと流すので、取出口から本体の外へ流れ出た空気は、清浄化された空気である。このように、この布団用電気掃除機は、空気を清浄化することができる。この結果、布団用電気掃除機に付加機能を備えることができる。
【発明を実施するための最良の形態】
【００３９】
以下には、図面を参照して、この発明の一実施形態としての布団用電気掃除機１について具体的に説明する。
【００４０】
図１は、敷布団Ｓにセットされた状態にある掃除機１を右前から見た斜視図である。
【００４１】
なお、以下で述べる布団（敷布団Ｓおよび後述する掛布団Ｋ）は、水平面に敷かれているものとする。また、図１において、水平面に敷かれた状態にある敷布団Ｓの長手方向を前後方向とし、敷布団Ｓの短手方向を幅方向（左右方向）という（他の図においても同様）。なお、水平方向は、前後方向と幅方向とを含んでいる。
【００４２】
図１を参照して、この掃除機１は、本体２と、レールユニット３とを備えている。
【００４３】
本体２は、幅方向に長手で中空のボックス形状である。本体２は、敷布団Ｓよりも幅広である。本体２の内部には、吸引力を発生する電動送風機（図示せず）が配置されている。
【００４４】
幅方向から見たときの本体２の断面形状は、略三角形状である。つまり、本体２の天面（上面）４（第２面）は、幅方向に長手をし、前後方向における両側に、前後方向中央へ向かうのに従って上側へ傾斜する傾斜面５を有している。前側の傾斜面５を前傾斜面５Ａとし、後側の傾斜面５を後傾斜面５Ｂとすると、前傾斜面５Ａは、後上側へ傾斜しており、後傾斜面５Ｂは、前上側へ傾斜している。そして、前傾斜面５Ａの上（後）端部と後傾斜面５Ｂの上（前）端部とが互いに接続されている。前傾斜面５Ａの上（後）端部と後傾斜面５Ｂの上（前）端部との接続部分は、幅方向から見て、上側へ膨出する円弧状をなしており、尖っていない。このように、天面４は、前後方向（幅方向に対する直交方向）に、上述した接続部分（上面中央部）が最も高くなるように前後方向に所定（詳しくは後述するように４５°以下）の傾斜角度を有する２平面（前傾斜面５Ａおよび後傾斜面５Ｂ）を含んでいる。
【００４５】
前傾斜面５Ａの上端部と後傾斜面５Ｂの上端部との接続部分には、幅方向に長手の凹み６が形成されている。凹み６の幅方向寸法は、敷布団Ｓの幅方向寸法とほぼ同じである。凹み６には、幅方向に長手の３つの円筒体９が、幅方向に並んだ状態で、上側から嵌め込まれている。各円筒体９の幅方向寸法は、凹み６の幅方向寸法の略３分の１である。各円筒体９において、凹み６から上側へ露出された部分には、小吸込口１０が形成されている。小吸込口１０は、幅方向に細長い多数のスリット１１によって構成されている（左端に位置する円筒体９の小吸込口１０を参照）。各小吸込口１０の幅方向における全体寸法は、一般的な掃除機の床用吸込具の吸込口と同様に、３０ｃｍ前後となっている。
【００４６】
小吸込口１０は、円筒体９内に連通しており、各円筒体９の内部空間は、その下部において、本体２の内部に連通している。そのため、小吸込口１０は、円筒体９の内部を介して、本体２の内部に連通している。ここで、円筒体９が幅方向に並んで３つあることからり、本体２では、小吸込口１０が幅方向に並んで３つ形成されていることがわかる。これら３つの小吸込口１０のまとまりを吸込口８というと、吸込口８は、幅方向に長手であり、その長さ方向に３つの小吸込口１０に区画されている。
【００４７】
前傾斜面５Ａにおいて、凹み６より下側の領域の幅方向中央には、本体２内に連通する取出口１２が形成されている。
【００４８】
前傾斜面５Ａにおいて、取出口１２の幅方向両側には、幅方向に長手の凹部１３が形成されている。各凹部１３には、ずらしローラ１４（回転体）が上から嵌め込まれている。この状態で、ずらしローラ１４は、本体２によって回転自在に支持されている。ずらしローラ１４は、幅方向に長手であり、吸込口８と平行に設けられている。ずらしローラ１４は、幅方向に沿って延びる軸部１４Ａと、軸部１４Ａの外周面に設けられ、軸部１４Ａの径方向外側へ向かって突出する多数の凸部１４Ｂとを備えている。凸部１４Ｂは、ゴム等の弾性体で形成されている。凹部１３から本体２の外側へ露出された位置にある凸部１４Ｂは、前傾斜面５Ａよりも前上側へ突出している（後述する図４も参照）。
【００４９】
前傾斜面５Ａにおいて、右側のずらしローラ１４の右側には、スイッチ１５が設けられている。スイッチ１５をＯＮにすることで、本体２が運転可能な状態となる。なお、本体２を運転させるための電力は、コード１６を介して、図示しない電源から本体２に供給される。
【００５０】
そして、本体２の底面１７（第１面）は、幅方向に長手をしたほぼ平面からなり、詳しくは、略水平方向に平坦である。底面１７の前端と前傾斜面５Ａの前（下）端とは一致しており、底面１７の後端と後傾斜面５Ｂの後（下）端とは一致している。天面４と同様に、底面１７にも、幅方向に長手の吸込口８が形成されており、底面１７の吸込口８も、その長さ方向に複数の小吸込口１０に区画されている（図１では図示されていない。）。ここで、底面１７の吸込口８は、第１吸込口とされ、天面４の吸込口８は、第２吸込口とされる。
【００５１】
底面１７の幅方向両端には、下方へ突出する脚部１８（ガイド部）が一体的に設けられている。左右の脚部１８の幅方向内側面の間隔は、敷布団Ｓの幅よりも広い。各脚部１８は、上下方向に扁平な略直方体形状であり、その幅方向外側面（右側の脚部１８では右側面）は、本体２において幅方向で同じ側にある外側面に対して面一となっている。また、各脚部１８の幅方向内側面（右側の脚部１８では左側面）の下端には、前後方向に延びる溝１９が、脚部１８の前後方向における全域に亘って形成されている。
【００５２】
本体２（脚部１８も含む）の右側面には、本体２内に連通する排気口２０が形成されている。
【００５３】
レールユニット３は、幅方向に間隔を隔てて配置された一対のレール２５と、一対のレール２５の間に架設された梁部材２６とを一体的に備えている。
【００５４】
一対のレール２５の幅方向における間隔は、本体２の左右の脚部１８の幅方向内側面の間隔とほぼ同じである。各レール２５は、前後方向に細長い角柱形状である。各レール２５の上面は、略水平方向に平坦であり、その幅方向内側部分には、ラックギヤ２７が前後方向に沿って形成されている。ラックギヤ２７は、前後方向におけるレール２５の全域に亘って形成されている。そして、一対のレール２５は、それらの間に梁部材２６が架設されることで一体化されている。これにより、一対のレール２５の間隔が一定に保たれ、かつ、一対のレール２５の剛性が確保されている。
【００５５】
この掃除機１で組布団（敷布団Ｓおよび掛布団Ｋ）を掃除する場合、組布団を、敷布団Ｓに掛布団Ｋが重ねられ、かつ、床やベッドに敷かれた状態で掃除できる。
【００５６】
まず、敷かれた状態にある組布団（図１では敷布団Ｓのみが図示されている。）に対して掃除機１をセットする。詳しくは、敷かれた状態にある敷布団Ｓにレールユニット３をセットする。これにより、敷布団Ｓの幅方向両側に（換言すれば、敷かれた状態にある敷布団Ｓを挟むように）レール２５が配置され、敷布団Ｓの下側に梁部材２６が配置される。
【００５７】
次いで、左右のレール２５の後端部（図１における奥側の端部）に、上から架け渡されるように、本体２をセットする。この状態で、本体２の各脚部１８の溝１９に、幅方向で同じ側にあるレール２５が下から嵌る。これにより、本体２は、幅方向において長手となった状態で、本体２の幅方向両側で前後方向（本体２の幅方向と直交方向）に延びる一対レール２５に下から支持され、前後方向にスライド自在である。つまり、左右一対のレール２５は、本体２の前後移動をガイドする。
【００５８】
この状態で、本体２の底面１７において左右の脚部１８に挟まれた部分は、敷布団Ｓの上面に対して、僅かな隙間を隔てて上から対向している。また、上述したように本体２において底面１７の前端と前傾斜面５Ａの前（下）端とが一致していることから、この状態で、底面１７および前傾斜面５Ａの各前端は、敷布団Ｓの上面の僅か上側に位置している。そして、このようにレール２５の後端部にあるときの本体２の前後方向の位置を、後退位置という。
【００５９】
図２は、図１において、掛布団Ｋが追加された状態を示している。
【００６０】
図２では、敷布団Ｓに加えて、掛布団Ｋも示されている。図１と同様に、図２においても本体２は後退位置にある。後退位置にある本体２は、掛布団Ｋよりも後側（図２における奥側）に位置している。上述したように、本体２において、底面１７および前傾斜面５Ａの各前端は、敷布団Ｓの上面の僅か上側に位置していることから、換言すれば、重ねられた状態にある敷布団Ｓと掛布団Ｋとの間の近傍に位置している。
【００６１】
図３は、掃除状態における敷布団Ｓ、掛布団Ｋおよび掃除機１を右前から見た斜視図である。
【００６２】
組布団の掃除を開始する場合、後退位置にあった本体２が、運転されて前側（図３における手前側）へスライドする。ここで、上述したように、掃除開始前では（図２参照）、本体２において、底面１７および前傾斜面５Ａ（天面４）の各前端は、重ねられた状態にある敷布団Ｓと掛布団Ｋとの間の近傍に位置している。そのため、掃除開始によって前側へスライドした本体２は、底面１７および前傾斜面５Ａ（天面４）の各前端が敷布団Ｓと掛布団Ｋとの間に後側から進入することによって、図３に示すように、重ねて敷かれた状態にある敷布団Ｓと掛布団Ｋとの間に潜り込み（挿入され）、敷布団Ｓと掛布団Ｋとの間で前進する。
【００６３】
本体２が敷布団Ｓと掛布団Ｋとの間にある状態では、本体２では、底面１７（図２も参照）が、敷布団Ｓの上面に対して上から幅方向全域に亘って対向しており、底面１７の吸込口８（図示せず）が、敷布団Ｓの上面に対して上から対向している。これと同時に、本体２では、天面４が、掛布団Ｋの下面に下から幅方向全域に亘って対向しており、天面４の吸込口８（図２参照）が、掛布団Ｋの下面に下から対向している。この状態で、本体２の右側面は、敷布団Ｓと掛布団Ｋとの間から右側へ露出されている。
【００６４】
本体２が敷布団Ｓと掛布団Ｋとの間で移動している最中では、本体２内の上述した電動送風機（図示せず）が作動して吸引力を発生させており、この吸引力によって、敷布団Ｓに付着した塵埃（ダニの死骸等のハウスダストも含まれる。）が、本体２の底面１７の吸込口８（図示せず）から、本体２内（詳しくは後述する第２流路４１であり、図５参照）に吸い込まれ、同時に、掛布団Ｋに付着した塵埃が、本体２の天面４の吸込口８（図２参照）から、本体２内（図５に示す第２流路４１）に吸い込まれる。各吸込口８から本体２内に塵埃とともに吸い込まれた空気は、本体２の右側面の排気口２０から排出される。このように、この電気掃除機１を用いれば、組布団（敷布団Ｓおよび掛布団Ｋ）を、床面に重ねて敷いたままの状態で、一度に掃除することができる。これにより、布団掃除の効率化を図ることができる。特に、各布団では、就寝中の人に接する部分（敷布団Ｓでは上面であり、掛布団Ｋでは下面）が重点的に掃除されることとなる。
【００６５】
そして、前側へスライドしていた本体２が、図示していないが、各レール２５の前端（図１参照）まで前進すると（このときの本体２の位置を前進位置という。）、本体２の天面４の吸込口８（図２参照）は、掛布団Ｋの下面のほぼ全域に対向したことになる。同様に、本体２の底面１７の吸込口８（図示せず）は、敷布団Ｓの上面のほぼ全域に対向したことになる。
【００６６】
前進位置に到達した本体２は、後退位置（図２参照）へ向けて後進する。この際、本体２は、底面１７および後傾斜面５Ｂ（天面４）の各後端が敷布団Ｓと掛布団Ｋとの間に前側から進入することによって、敷布団Ｓと掛布団Ｋとの間に引き続き潜り込み、敷布団Ｓと掛布団Ｋとの間で後進する。そして、本体２は、後退位置に到達すると、前進位置へ向けて、敷布団Ｓと掛布団Ｋとの間で再び前進する。
【００６７】
このように、本体２は、所定時間の間、後退位置と前進位置との間での前後進を複数回繰り返す。これにより、敷布団Ｓおよび掛布団Ｋのそれぞれに付着した塵埃のほとんどが、本体２の天面４および底面１７の各吸込口８（図２参照）から本体２内に吸い込まれ、敷布団Ｓおよび掛布団Ｋがほぼ完全に掃除される。
【００６８】
なお、本体２の進行速度（前後進の速度）は、低速（たとえば、１〜２ｃｍ／秒）に設定されており、一度の掃除で、少なくとも１時間以上、自動的に前後進を繰り返す。これにより、敷布団Ｓおよび掛布団Ｋのそれぞれが前後方向において満遍なく掃除される。掃除機１による布団の掃除は、たとえば、掃除機１の所有者が外出中のときに行われたり、介護施設や病院において患者が診察中にあるとき等に行われたりする。また、夫婦が共働きで子供が塵埃（ハウスダスト）に対してアレルギー症状を有している家庭において、両親が仕事中に、掃除機１で子供の布団を自動的に掃除することも、この掃除機１の使用形態として、想定されている。
【００６９】
また、布団が波打った状態になっていると、吸込口８（図２参照）と布団との間に大きな隙間が生じるので、布団の塵埃が円滑に吸込口８に吸い込まれない虞がある。そこで、吸込口８と布団との間に大きな隙間が生じないように、本体２において吸込口８が形成された部分（天面４の吸込口８の場合には、図２に示す各円筒体９）が、布団側へ付勢されているとよい。
【００７０】
図４は、図１における要部右側断面図である。
【００７１】
図４を参照して、本体２について詳しく説明する。
【００７２】
まず、上述した前傾斜面５Ａの水平面（本体２の移動方向（前後方向）に沿う面）に対する傾斜角度α、および、上述した後傾斜面５Ｂの水平面に対する傾斜角度βは、ともに、４５°以下、好ましくは３０°であるとよい。そうすれば、幅方向から見たときの本体２（脚部１８を除く部分）の断面形状が、本体２を移動方向に沿うように上下方向に扁平な三角形状となる。
【００７３】
これにより、本体２が前進する際には、本体２の底面１７および前傾斜面５Ａ（天面４）の各前端が敷布団Ｓと掛布団Ｋ（図３参照）との間に後側から円滑に進入できるので、本体２は、掛布団Ｋに引っ掛かって止まることなく、敷布団Ｓと掛布団Ｋとの間で円滑に前進できる。同様に、本体２が後進する際には、本体２の底面１７および後傾斜面５Ｂ（天面４）の各後端が敷布団Ｓと掛布団Ｋとの間に前側から円滑に進入できるので、本体２は、掛布団Ｋに引っ掛かって止まることなく、敷布団Ｓと掛布団Ｋとの間で円滑に後進できる。なお、傾斜角度α、βが３０°より小さすぎると、本体２（脚部１８を除く部分）が上下に薄くなり過ぎてしまい、本体２内に、上述した電動送風機（図示せず）等の部品を配置できなくなってしまうので、傾斜角度α、βは、３０°近傍の値であるとよい。
【００７４】
また、本体２の左右の脚部１８の幅方内側面（図１参照）には、ピニオンギヤ２８（駆動手段）が回転自在に設けられている。ピニオンギヤ２８の回転軸は、幅方向（図４では紙面に垂直な方向）に延びている。上述したように本体２が各レール２５によって下から支持された状態において、各脚部１８のピニオンギヤ２８が、幅方向で同じ側にあるレール２５のラックギヤ２７の上方に位置し、このラックギヤ２７に噛み合っている。
【００７５】
この状態で、本体２内に設けられたモータ（後述する第２駆動モータ５４）が駆動されることでピニオンギヤ２８が、図４における反時計回りの方向に回転すると、本体２は、レール２５上を前側（図４における左側）へスライドする。一方、第２駆動モータ５４が駆動されることでピニオンギヤ２８が、図４における時計回りの方向に回転すると、本体２は、レール２５上を後側（図４における右側）へスライドする。つまり、ピニオンギヤ２８は、ラックギヤ２７に噛み合った状態で回転することで、レール２５に対して本体２を移動させる。ここで、一対のレール２５と、ラックギヤ２７と、ピニオンギヤ２８とが、本体２を、敷布団Ｓと掛布団Ｋとの間で、予め定める方向へ予め定める速度で移動させる移動手段を構成している。なお、ピニオンギヤ２８をレール２５に設けて、ラックギヤ２７を本体２に設けてもよい。
【００７６】
このように、ラックギヤ２７とピニオンギヤ２８とを用いて本体２を前後にスライドさせる構成を用いれば、本体２が敷布団Ｓと掛布団Ｋとの間で前後移動する場合（図３参照）、布団（特に上側の掛布団Ｋ）が本体２の移動の妨げとなっても、本体２は止まることなく、敷布団Ｓと掛布団Ｋとの間で確実に前後移動することができる。ここで、敷布団Ｓがレールユニット３の梁部材２６に載置されていることから（図１参照）、敷布団Ｓがレールユニット３に対する錘となり、本体２が動かない代わりにレールユニット３が前後に動いてしまうことを防止できる。
【００７７】
また、本体２内には、回転ブラシ２９が配置されている。回転ブラシ２９は、本体２によって回転自在に支持されており、その回転軸は、幅方向に延びている。回転ブラシ２９は、底面１７の吸込口８から、下方（敷布団Ｓ側）に臨んでおり、回転ブラシ２９の下側の毛先は、吸込口８（底面１７）から外方（敷布団Ｓ側であり、下側）へ、５ｍｍ以上はみ出ている。
【００７８】
図５は、図３における要部右側断面図である。
【００７９】
図５では、本体２が、敷布団Ｓと掛布団Ｋとの間で前側（図５における左側）へスライドしている状態が示されている。
【００８０】
この状態で、本体２の前傾斜面５Ａ（天面４の前側部分）の凹部１３に嵌め込まれたずらしローラ１４が、図５における時計回りの方向へ回転駆動されている。これにより、ずらしローラ１４において前傾斜面５Ａよりも前上側へ突出している凸部１４Ｂが、掛布団Ｋに対して前下側から引っ掛かり、この状態で、ずらしローラ１４の回転に伴って、掛布団Ｋを、本体２の移動方向における上流側、つまり後側（図５における右側）へずらす。これにより、本体２が、掛布団Ｋに対して移動方向下流側（前側）へ相対移動するので、本体２は、敷布団Ｓと掛布団Ｋとの間を円滑に前進できる。つまり、ずらしローラ１４は、本体２の移動（ここでは前進）を補助している。なお、ずらしローラ１４において掛布団Ｋに接触する凸部１４Ｂは、上述したように弾性体で形成されているので、掛布団Ｋが凸部１４Ｂに接触されることで傷付くことはない。
【００８１】
一方、本体２が敷布団Ｓと掛布団Ｋとの間で後進する場合には、ずらしローラ１４は、図５における反時計回りの方向へ回転駆動される。これにより、ローラ１４において前傾斜面５Ａよりも前上側へ突出している凸部１４Ｂが、掛布団Ｋに対して後下側から引っ掛かり、この状態で、ずらしローラ１４の回転に伴って、掛布団Ｋを、本体２の移動方向における上流側、つまり前側へずらす。これにより、本体２が、掛布団Ｋに対して移動方向下流側（後側）へ相対移動するので、本体２は、敷布団Ｓと掛布団Ｋとの間を円滑に後進できる。
【００８２】
このように、ずらしローラ１４は、掛布団Ｋが天面４（前傾斜面５Ａ）に対向したときに、その掛布団Ｋを、前後方向（幅方向に長手の吸込口８に対する直交方向）に移動させる。これにより、本体２は、ずらしローラ１４に補助されることで、掛布団Ｋに対して相対移動するので、結果として、敷布団Ｓと掛布団Ｋとの間において、円滑に移動することができる。
【００８３】
また、本体２が敷布団Ｓと掛布団Ｋとの間で移動（前後進）する際には、上述したように下側の毛先が底面１７の吸込口８から下側へはみ出るように本体２内に配置された回転ブラシ２９が回転駆動される。図５では、時計回りの方向へ回転ブラシ２９が回転駆動されている。これにより、回転ブラシ２９において吸込口８から下側へはみ出た毛先が、敷布団Ｓの上面に接触し、回転ブラシ２９の回転に伴って、敷布団Ｓの塵埃を底面１７の吸込口８へ掻き上げるので、敷布団Ｓの塵埃が、吸込口８から本体２内に円滑に吸い込まれる。
【００８４】
掛布団Ｋの塵埃は、その自重によって天面４の吸込口８に落下するので、比較的容易に吸込口８に吸い込まれるが、逆に、敷布団Ｓの塵埃は、その自重によって、敷布団Ｓの上側にある底面１７の吸込口８に到達しづらい。そこで、回転ブラシ２９が回転することで、回転ブラシ２９において底面１７の吸込口８から敷布団Ｓ側へはみ出た毛先が、底面１７の吸込口８より下方に位置する敷布団Ｓの塵埃を底面１７の吸込口８へ向けて掻き上げるので、底面１７の吸込口８では、敷布団Ｓの塵埃を効率的に本体２内に吸引することができる。また、上述したように、回転ブラシ２９の下側の毛先は、吸込口８から下側へ、５ｍｍ以上はみ出ているので、敷布団Ｓに凹んだ部分があっても、回転ブラシ２９のはみ出た毛先が、この凹みにある塵埃を確実に掻き上げることができる。なお、回転ブラシ２９の回転速度は、低く設定されているので（たとえば、１００ｒｐｍ）、回転ブラシ２９の毛先が敷布団Ｓを傷めることはない。
【００８５】
また、本体２の天面４において、吸込口８（小吸込口１０）が形成された各円筒体９に対して、円筒体９と相似した網状の円筒（図示せず）が外嵌されていてもよい。この網状の円筒は、円筒体９に対して相対回転自在であり、本体２が敷布団Ｓと掛布団Ｋとの間で移動する際には、掛布団Ｋに接触することで回転する。そして、この網状の円筒が、円筒体９と掛布団Ｋとの間に介在されることから、円筒体９の吸込口８（小吸込口１０）が掛布団Ｋによって不意に塞がれてしまうことを防止できる。
【００８６】
図６は、図５における本体２に変形例を適用した図である。
【００８７】
上記実施例では、本体２を一対のレール２５に支持させ、本体２をレール２５上で前後進させたが（図１および図５参照）、図６に示すように、レール２５を廃して、本体２を自走させる構成も採用できる。
【００８８】
本体２を自走させる構成として、詳しくは、左右の各脚部１８の底面に、無端状のベルト３０が設けられている。ベルト３０には、キャタピラーも含まれる。ベルト３０に関連して、各脚部１８の底面では、中心軸が幅方向に延びる２本のローラ３１が、前後方向（図６における左右方向）において間隔を隔てて、回転自在に設けられている。そして、各脚部１８の底面において、ベルト３０が、これらのローラ３１間に巻回されている。
【００８９】
この構成の本体２は、敷布団Ｓ（図１参照）が敷かれる床面等に直接載置される。詳しくは、本体２の底面１７が敷布団Ｓの上面に上から対向した状態で、左側の脚部１８（図１参照）は、敷布団Ｓよりも左側で床面に載置され、右側の脚部１８（図１参照）は、敷布団Ｓよりも右側で床面に載置されている。各脚部１８では、ベルト３０の下側部分が、床面に接触している。
【００９０】
そして、上述したローラ３１が回転駆動されることによって、各脚部１８のベルト３０が、図６において反時計回りの方向へ回転（周回移動）すると、本体２は、左右の脚部１８が敷布団Ｓを幅方向から挟んだ状態で、前側（図６における左側）へ移動する。逆に、各脚部１８のベルト３０が、図６において時計回りの方向へ回転（周回移動）すると、本体２は、左右の脚部１８が敷布団Ｓを幅方向から挟んだ状態で、後側（図６における右側）へ移動する。
【００９１】
ここで、左右一対の脚部１８は、幅方向において敷布団Ｓを挟んでいることから、敷布団Ｓと掛布団Ｋとの間における、敷布団Ｓに沿った本体２の前後移動をガイドしている。そのため、本体２は、敷布団Ｓと掛布団Ｋとの間において、この間からはみ出ることなく、円滑に移動することができる。
【００９２】
図７は、図６の本体２の底面図である。図８は、図６のＡ−Ａ矢視断面図である。
【００９３】
図７では、上述したローラ３１（図６参照）を回転駆動させる駆動モータ（上述した第２駆動モータ５４）が図示されている。
【００９４】
また、左右の脚部１８のそれぞれの幅方向内側面の前端（図７では下端）および後端（図７では上端）には、ころ３３が設けられている。各ころ３３は、対応する脚部１８によって回転自在に支持されている。ころ３３の回転軸は、上下方向（図７において紙面に垂直な方向）に沿って延びている。各ころ３３は、左右の脚部１８が敷布団Ｓを幅方向から挟んだ状態で、敷布団Ｓに幅方向外側から接触する（図８も参照）。そのため、本体２を敷布団Ｓに沿うように前後（図７では上下）に自走させる場合でも、本体２は、左右の脚部１８が敷布団Ｓを幅方向から挟んだ状態を確実に維持し、敷布団Ｓに対して左右にずれることなく、前後方向に沿って直進することができる。つまり、ころ３３は、ガイド部として機能する。そして、回転自在なころ３３は、敷布団Ｓに接触するときに引っ掛かることがないので、本体２は、敷布団Ｓと掛布団Ｋとの間において、円滑に移動することができる。
【００９５】
図９は、図５における本体２に別の変形例を適用した図である。
【００９６】
図６〜図８で示したベルト３０の代わりに、図９に示すローラ３４を設けてもよい。ローラ３４は、本体２（詳しくは底面１７の周辺部分）によって回転自在に支持されている。ローラ３４の回転軸は、幅方向（図９において紙面に垂直な方向）に沿って延びている。この状態で、ローラ３４の下側外周面は、本体２の底面１７から下方へ露出され、敷布団Ｓの上面に上から接触している。
【００９７】
この状態で、ローラ３４が、図９において反時計回りの方向へ回転駆動されると、本体２は、左右の脚部１８（図１も参照）が敷布団Ｓを幅方向から挟んだ状態で、前側（図９における左側）へ移動する。逆に、ローラ３４が、図９において時計回りの方向へ回転駆動されると、本体２は、左右の脚部１８が敷布団Ｓを幅方向から挟んだ状態で、後側（図９における右側）へ移動する。
【００９８】
この場合には、本体２では、ローラ３４が敷布団Ｓの上面に接触していればよいので、上述したレール２５（図１および図５参照）を用いる場合や、敷布団Ｓ（図１参照）が敷かれる床面に接触するベルト３０（図６〜図８参照）を用いる場合とは異なり、敷布団Ｓの上下の厚みに応じてレール２５や床面までの脚部１８の長さを考慮する必要はない。つまり、レール２５やベルト３０を用いる場合、敷布団Ｓが薄いと脚部１８を短くしなければならないし、敷布団Ｓが厚いと脚部１８を長くしなければならない。
【００９９】
もちろん、本体２の底面１７においてローラ３４が設けられた部分に、ローラ３４の代わりに、上述したベルト３０（図８参照）が設けられ、ベルト３０が敷布団Ｓの上面に接触した状態で回転駆動される構成も適用可能である。
【０１００】
このように、ローラ３４およびベルト３０は、本体２を敷布団Ｓと掛布団Ｋとの間で移動させる移動手段として機能し、底面１７が敷布団Ｓに対向したときに、回転駆動されることで、本体２を、敷布団Ｓに対して前後方向に移動させる。ローラ３４またはベルト３０が敷布団Ｓに接触した状態で回転駆動されることで、本体２が敷布団Ｓに対して相対移動するので、本体２は、敷布団Ｓと掛布団Ｋとの間で、単独で移動（自走）することができる。この場合には、本体２の移動をガイドするためのレール２５（詳しくは、図１に示すレールユニット３）を設けずに済むので、電気掃除機１を単純に構成することができる。
【０１０１】
図１０は、図５における本体２にさらに別の変形例を適用した図である。
【０１０２】
図１０に示すように、本体２において、天面４の吸込口８と、底面１７の吸込口８とが、互いに連通していてもよい。換言すれば、吸込口８が、本体２を上下方向において貫通している。こうすれば、本体２を単純に構成できる。
【０１０３】
図１１は、掃除モードにおける本体２の模式的な平断面図である。
【０１０４】
この掃除機１は、上述した布団を掃除するモード（掃除モード）と、布団を乾燥するモード（乾燥モード）と、空気を清浄するモード（空気清浄モード）とのうちのいずれかのモードで運転することができる。以下では、各モードにおける本体２内の様子を説明する。
【０１０５】
まず、図１１を参照して、本体２内の構造について説明する。本体２内には、天面４および底面１７（図４参照）の各小吸込口１０（図１１では底面１７の小吸込口１０のみが示されている。）に応じて１つずつ設けられ、対応する小吸込口１０に連通する第１流路４０と、全ての第１流路４０および排気口２０に連通する第２流路４１とが設けられている。つまり、第２流路４１は、複数の第１流路４０に分岐しており、各第１流路４０は、対応する１つの小吸込口１０に連通している。
【０１０６】
各第１流路４０には、第１弁４２（切換手段）が開閉自在に設けられている。各第１弁４２は、専用のモータ（第１開閉モータ４３）の駆動によって、開閉される。図１１では、各第１弁４２が開いた状態が示されている。第１弁４２の開閉に伴って、対応する第１流路４０が開閉される。
【０１０７】
第２流路４１において、排気口２０の近傍には、上述した電動送風機（符号４４を付した部品を参照）が配置されている。電動送風機４４が作動すると、小吸込口１０から第１流路４０を経て第２流路４１へ向かう空気の流れが生じる（太い実線矢印を参照）。つまり、第１流路４０および第２流路４１は、天面４および底面１７（図４参照）の各小吸込口１０（吸込口８）と電動送風機４４とをつなぐ風路として機能する。
【０１０８】
第２流路４１において、電動送風機４４に対する排気口２０の反対側（第１流路４０側）には、第２弁４５が開閉自在に設けられている。第２弁４５は、専用のモータ（第２開閉モータ４６）の駆動によって、開閉される。図１１では、第２弁４５が開いた状態が示されている。
【０１０９】
また、本体２の外表面には、取込口４７が形成されており、本体２内には、取込流路４８が設けられている。取込流路４８は、取込口４７から連続して延び、第２流路４１において第２弁４５と電動送風機４４との間の部分に、第３弁４９を介して接続されている。図１１では、第３弁４９が閉じた状態が示されており、取込流路４８と第２流路４１との間が、閉状態の第３弁４９によって遮断されている。
【０１１０】
また、図１１における本体２の下側の幅方向中央に、上述した取出口１２が図示されている。そして、本体２内には、バイパス流路５０が設けられている。バイパス流路５０は、取出口１２から連続して延び、第２流路４１において排気口２０と電動送風機４４との間の部分に、第４弁５１を介して接続されている。また、バイパス流路５０は、第２流路４１において第２弁４５と第１流路４０との間の部分に、第５弁５２を介して接続されている。図１１では、第４弁５１および第５弁５２がともに閉じた状態が示されており、バイパス流路５０と第２流路４１との間が、閉状態の第４弁５１および第５弁５２によって遮断されている。
【０１１１】
以上に述べた各第１弁４２、第２弁４５、第３弁４９、第４弁５１および第５弁５２のそれぞれの開閉は、本体２に内蔵され、マイクロコンピュータなどで構成された制御手段（図示せず）によって制御される。
【０１１２】
なお、図１１では、上述したずらしローラ１４を回転駆動させるモータ（第１駆動モータ５３）と、上述したピニオンギヤ２８（図４参照）、ローラ３１（図６参照）、またはローラ３４（図９参照）を回転駆動させるモータ（第２駆動モータ５４）と、回転ブラシ２９（図４参照）を回転駆動させるモータ（第３駆動モータ５５）とが図示されている。第３駆動モータ５５の出力軸は、伝達ベルト５６を介して、回転ブラシ２９の回転軸に連結されている。
【０１１３】
そして、掃除モードの場合には、図１１に示すように、全ての第１弁４２と第２弁４５とが開かれる一方で、第３弁４９、第４弁５１および第５弁５２は閉じられている。そのため、全ての第１流路４０と第２流路４１とが、連続しており、これらの流路の途中は遮断されていない。これにより、各第１流路４０および第２流路４１を介して、天面４および底面１７（図４参照）の各小吸込口１０（つまり吸込口８）と排気口２０とが連通する。一方、取込流路４８と第２流路４１との間、および、バイパス流路５０と第２流路４１との間が遮断されている。
【０１１４】
この状態で、電動送風機４４が作動し、電動送風機４４が発生する吸引力によって、太線矢印で示すように、各小吸込口１０から、第１流路４０、第２流路４１を順に通過して排気口２０から本体２外へ排出される空気の流れが発生する。そのため、各小吸込口１０が、対応する布団（敷布団Ｓまたは掛布団Ｋ）に対向していると、布団に付着した塵埃が、上述した空気の流れによって、太線矢印で示すように、各小吸込口１０から本体２内に吸い込まれ、電動送風機４４の手前において、第２流路４１内に溜められる。
【０１１５】
ここで、天面４および底面１７の小吸込口１０（図４参照）に対応する全ての第１流路４０の第１弁４２が開いたままだと、全ての小吸込口１０から本体２内に空気が吸い込まれる。そのため、各小吸込口１０から本体２内に流れる空気の勢い（塵埃の吸引力）は、比較的弱くなり、布団から効率的に塵埃を吸引することが困難となる。
【０１１６】
そこで、上述した制御手段（図示せず）が、各第１流路４０の第１弁４２を開閉することによって、天面４および底面１７の各吸込口８において、吸込口８を構成する複数の小吸込口１０のうちのいずれか１つの小吸込口１０から本体２内に空気が流れるようにする。換言すれば、天面４および底面１７の任意の小吸込口１０のみから吸込が行われるように、第１弁４２が、各第１流路４０と第２流路４１とつなぐ風路を切換える。これにより、対応する小吸込口１０から本体２内に流れる空気の勢いを強く保つことができる。この結果、各小吸込口１０では、布団から効率的に塵埃を吸引することができる。
【０１１７】
詳しくは、本体２が上述した後退位置から前進位置へ向かうまでの間は、たとえば、最も左側の第１流路４０の第１弁４２を開いておく一方で、残り全ての第１弁４２を閉じておく。そうすれば、最も左側の第１流路４０だけが、第２流路４１につながるので、電動送風機４４の吸引力は、最も左側の小吸込口１０だけに作用し、最も左側の小吸込口１０だけから本体２内に空気が勢いよく流れる。そのため、布団において、最も左側の小吸込口１０と対向する左側部分が、前後方向における全域において、集中的に掃除される。
【０１１８】
その後、本体２が前進位置から後退位置へ戻るときは、真ん中の第１流路４０の第１弁４２だけを開いておけば、真ん中の小吸込口１０だけから本体２内に空気が勢いよく流れるようになり、布団において、真ん中の小吸込口１０と対向する幅方向中央部分が、前後方向における全域において、集中的に掃除される。
【０１１９】
そして、本体２が再び後退位置から前進位置へ向かうときには、最も右側の第１流路４０の第１弁４２だけを開いておけば、最も右側の小吸込口１０だけから本体２内に空気が勢いよく流れるようになり、布団において、最も右側の小吸込口１０と対向する右側部分が、前後方向における全域において、集中的に掃除される。
【０１２０】
このように電動送風機４４の吸引力を最大限に利用できる状態で布団を幅方向における複数領域ごとに掃除すれば、全ての小吸込口１０から本体２内に空気が流れるようにして弱い吸引力で布団の幅方向全域を一度に掃除する場合に比べて、効率的に布団全体を掃除することができる。
【０１２１】
また、小吸込口１０から吸い込まれた空気は、第２流路４１を流れる途中で電動送風機４４を通過することによって加熱されてから、排気口２０で本体２の外へ排出される。上述したように排気口２０は本体２の右側面に形成されており、そして、電動送風機４４は排気口２０の近傍（本体２の右端部）に配置されている。そして、本体２の右側面（右端部）は、敷布団Ｓと掛布団Ｋとの間から右側へ露出されていることから（図３参照）、この部分に電動送風機４４が配置されていることで、電動送風機４４が布団の外側に近くなる。これにより、電動送風機４４を通過して加熱された空気を本体２内から布団の外へ速やかに排出することができるので、加熱された空気が本体２内に留まることがなく、電動送風機４４の周りの空気が円滑に入れ替えられることとなり、電動送風機４４の過熱を防止することができる。
【０１２２】
図１２は、乾燥モードにおける本体２の模式的な平断面図である。
【０１２３】
そして、乾燥モードの場合には、図１２に示すように、全ての第１弁４２と第３弁４９と第４弁５１と第５弁５２とが開かれる一方で、第２弁４５は閉じられている。ここで、開状態にある第４弁５１は、第２流路４１側から排気口２０を塞いでおり、開状態にある第５弁５２は、バイパス流路５０側から取出口１２を塞いでいる。そのため、全ての第１流路４０と、第２流路４１において第１流路４０と第２弁４５との間の部分と、バイパス流路５０において第４弁５１と第５弁５２との間の部分と、第２流路４１において第２弁４５と第４弁５１との間の部分と、取込流路４８とが、この順に連続し、その結果、乾燥用流路５８が完成する。これにより、天面４および底面１７（図４参照）の各小吸込口１０（つまり吸込口８）と取込口４７とが、乾燥用流路５８を介して連通する。一方、第２流路４１は、閉状態にある第２弁４５によって、電動送風機４４側と第１流路４１側とで分断されている。
【０１２４】
この状態で電動送風機４４が作動すると、電動送風機４４が発生する吸引力によって、太線矢印で示すように、外部の空気が取込口４７から本体２内に取り込まれる。そして、取込口４７から、取込流路４８、第２流路４１において第２弁４５と第４弁５１との間の部分、バイパス流路５０において第４弁５１と第５弁５２との間の部分、第２流路４１において第１流路４０と第２弁４５との間の部分、各第１流路４１（つまり、乾燥用流路５８）を順に通過して各小吸込口１０から本体２外へ排出される空気の流れが発生する。つまり、乾燥用流路５８が、電動送風機４４によって取込口４７から取り込まれてから電動送風機４４を通過した空気を吸込口８（各小吸込口１０）へ導く。そのため、各小吸込口１０が、対応する布団（敷布団Ｓまたは掛布団Ｋ）に対向していると、取込口４７から取り込まれた空気が、第２流路４１における第２弁４５と第４弁５１との間の部分において電動送風機４４側を通過する際に、電動送風機４４によって加熱され、熱風となって、各小吸込口１０から、対応する布団に浴びせられる。これにより、布団が乾燥する。この結果、電気掃除機１に、布団を乾燥させるという付加機能を備えることができる。
【０１２５】
図１３は、空気清浄モードにおける本体２の模式的な平断面図である。
【０１２６】
そして、空気清浄モードの場合には、図１３に示すように、第３弁４９と第４弁５１とが開かれる一方で、第２弁４５と第５弁５２とは閉じられている。なお、各第１弁４２は、開かれていてもよいし、閉じられていてもよい。ここで、開状態にある第４弁５１は、第２流路４１側から排気口２０を塞いでいる。そのため、バイパス流路５０と、第２流路４１において第２弁４５と第４弁５１との間の部分と、取込流路４８とが、この順で連続し、その結果、清浄化用流路５９が完成する。これにより、取出口１２と取込口４７とが、清浄化用流路５９を介して連通する。
【０１２７】
この状態で電動送風機４４が作動すると、電動送風機４４が発生する吸引力によって、太線矢印で示すように、外部の空気が取込口４７から本体２内に取り込まれる。そして、取込口４７から、取込流路４８、第２流路４１において第２弁４５と第４弁５１との間の部分、バイパス流路５０（つまり、清浄化用流路５９全体）を順に通過して取出口１２から本体２外へ排出される空気の流れが発生する。つまり、清浄化用流路５９が、電動送風機４４によって取込口４７から取り込まれてから電動送風機４４を通過した空気を取出口１２へ導く。取出口１２に到達した空気は、取出口１２から本体２の外へ排出される（取り出される）。
【０１２８】
ここで、取出口１２には、フィルタ５７（空気清浄化手段）が取り付けられており、取出口１２から排出される空気は、フィルタ５７を通過することでフィルタ５７によって塵埃が除去された（清浄化された）空気である。つまり、フィルタ５７は、清浄化用流路５９を流れる空気を清浄化して取出口１２へと流す。清浄化された空気は、取出口１２から本体２外へ排出されることで、布団に浴びせられ、さらには室内等に行き渡る。この結果、電気掃除機１に、空気を清浄化するという付加機能を備えることができる。
【０１２９】
このような掃除モード（図１１参照）、乾燥モード（図１２参照）および空気清浄モード（図１３参照）が、この順番でそれぞれ１時間ずつ実施されるように、掃除機１が自動運転されてもよい。
【０１３０】
図１４は、完成状態にあるレールユニット３の平面図である。図１５は、折り畳み途中にあるレールユニット３を幅方向から見た図である。
【０１３１】
図１４に示すように、完成状態（図１に示す状態）にあるレールユニット３では、幅方向（図１４における上下方向）において間隔を隔てて配置された一対のレール２５が、前後方向（図１４における左右方向）に沿って延びている。そして、一対のレール２５の間には、上述した梁部材２６が、架設されている。梁部材２６は、幅方向に延びる棒状であり、前後方向に間隔を隔てて複数設けられている。つまり、レールユニット３は、簀子（すのこ）に似た形状となっており、上述した敷布団Ｓは、梁部材２６の上に載置されることによって、床面から浮いている（図１参照）。これにより、敷布団Ｓの底側が湿ることを防止できる。また、簀子形状のレールユニット３では、所定の剛性を保ちつつ、軽量化を図ることができる。
【０１３２】
ここで、レールユニット３（詳しくは、一対のレール２５）は、前後方向（レール２５の長さ方向）において、４つの小ユニット３Ａに分割可能である。これらの小ユニット３Ａは、同じ大きさである。各小ユニット３Ａにおいて、一対のレール２５の前端間および後端間に架設された梁部材２６は、他の梁部材２６よりも太くなっており、これによって、各小ユニット３Ａの剛性が高められている。
【０１３３】
前後方向に隣り合う小ユニット３Ａにおいて、前側（図１４では左側）の小ユニット３Ａの後端と、後側の小ユニット３Ａの前端とは、幅方向に延びる同一の連結軸６０（図１５参照）で連結されている。
【０１３４】
この状態で、図１５に示すように、前後方向に隣り合う小ユニット３Ａにおいて、一方の小ユニット３Ａは、他方の小ユニット３Ａに対して、連結軸６０を介して、相対的に回動可能である。レールユニット３全体では、４つの小ユニット３Ａがあって、３つの連結軸６０があることから、レールユニット３全体（詳しくは、一対のレール２５）は、前後方向における、連結軸６０がある３箇所において、折り畳むことができる。これにより、本体２をレール２５で移動させない場合（換言すれば布団掃除を行わない場合）には、レールユニット３を、折り畳むことでコンパクトに収納することができる。
【０１３５】
図１６は、折り畳まれたレールユニット３と本体２とがスタンド６１にセットされた状態を幅方向から見た図である。図１７は、折り畳まれたレールユニット３と本体２とがスタンド６１にセットされた状態を正面から見た図である。
【０１３６】
折り畳まれた後のレールユニット３は、図１６に示すように、４つの小ユニット３Ａを前後方向（図１６における左右方向）に重ねたものと同じ形状をなしている。
【０１３７】
ここで、掃除機１は、付属部品としてスタンド６１を備えている。スタンド６１は、上面に窪み６２が形成されたトレイ形状である。
【０１３８】
掃除機１で布団の掃除（掃除モード）を行わない場合には、本体２が、レールユニット３から取り外され（図１参照）、レールユニット３が折り畳まれる。そして、折り畳まれたレールユニット３が、スタンド６１の窪み６２の後側（図１６における左側）部分に上から差し込まれる。この状態で、本体２が、窪み６２におけるレールユニット３の前側に上から差し込まれる。
【０１３９】
このように、折り畳まれた状態にあるレールユニット３（一対のレール２５および梁部材２６）と本体２とが、スタンド６１にセット（支持）される。この状態で、折り畳まれたレールユニット３は、図１７に示すように、各レール２５が上下方向に延び、かつ、梁部材２６が幅方向に延びるように、直立しており、この姿勢が維持されている。また、本体２は、天面４が正面（図１６における右側であり、図１７における紙面手前側）を向き、かつ、底面１７が上下方向に延びるように（図１６参照）、直立しており、この姿勢が維持されている。なお、折り畳まれたレールユニット３と本体２とがセットされた状態にあるスタンド６１は、たとえば、部屋の隅（壁際）等に配置される。このように、電気掃除機１を使用しない場合には、レールユニット３と本体２とを、水平方向においてコンパクトに配置（収納）することができる（図１６も参照）。
【０１４０】
そして、本体２では、天面４が正面を向いていることから、天面４（上述した前傾斜面５Ａ）に形成された取出口１２およびスイッチ１５も正面を向いている。そのため、スイッチ１５をＯＮにして、上述した空気清浄モードで本体２を運転すると、清浄化された空気が、取出口１２から前方へ流れ出し、室内に供給される（図１６および図１７における太い破線矢印を参照）。これにより、掃除機１は、布団掃除に使用されないときには、空気清浄機として機能し、室内の空気清浄を行うことができる。
【０１４１】
この発明は、以上で説明した実施形態に限定されるものではなく、請求項記載の範囲内において種々の変更が可能である。
【図面の簡単な説明】
【０１４２】
【図１】敷布団Ｓにセットされた状態にある掃除機１を右前から見た斜視図である。
【図２】図１において、掛布団Ｋが追加された状態を示している。
【図３】掃除状態における敷布団Ｓ、掛布団Ｋおよび掃除機１を右前から見た斜視図である。
【図４】図１における要部右側断面図である。
【図５】図３における要部右側断面図である。
【図６】図５における本体２に変形例を適用した図である。
【図７】図６の本体２の底面図である。
【図８】図６のＡ−Ａ矢視断面図である。
【図９】図５における本体２に別の変形例を適用した図である。
【図１０】図５における本体２にさらに別の変形例を適用した図である。
【図１１】掃除モードにおける本体２の模式的な平断面図である。
【図１２】乾燥モードにおける本体２の模式的な平断面図である。
【図１３】空気清浄モードにおける本体２の模式的な平断面図である。
【図１４】完成状態にあるレールユニット３の平面図である。
【図１５】折り畳み途中にあるレールユニット３を幅方向から見た図である。
【図１６】折り畳まれたレールユニット３と本体２とがスタンド６１にセットされた状態を幅方向から見た図である。
【図１７】折り畳まれたレールユニット３と本体２とがスタンド６１にセットされた状態を正面から見た図である。
【符号の説明】
【０１４３】
１    布団用電気掃除機
２    本体
４    天面
５Ａ  前傾斜面
５Ｂ  後傾斜面
８    吸込口
１０  小吸込口
１２  取出口
１４  ずらしローラ
１７  底面
１８  脚部
２５  レール
２６  梁部材
２８  ピニオンギヤ
２９  回転ブラシ
３０  ベルト
３３  ころ
３４  ローラ
４０  第１流路
４１  第２流路
４２  第１弁
４４  電動送風機
４７  取込口
５７  フィルタ
５８  乾燥用流路
５９  清浄化用流路
６１  スタンド
Ｓ    敷布団
Ｋ    掛布団
α    傾斜角度
β    傾斜角度
【図１】
2010125281.tif 000003
【図２】
2010125281.tif 000004
【図３】
2010125281.tif 000005
【図４】
2010125281.tif 000006
【図５】
2010125281.tif 000007
【図６】
2010125281.tif 000008
【図７】
2010125281.tif 000009
【図８】
2010125281.tif 000010
【図９】
2010125281.tif 000011
【図１０】
2010125281.tif 000012
【図１１】
2010125281.tif 000013
【図１２】
2010125281.tif 000014
【図１３】
2010125281.tif 000015
【図１４】
2010125281.tif 000016
【図１５】
2010125281.tif 000017
【図１６】
2010125281.tif 000018
【図１７】
2010125281.tif 000019